【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
磁気共鳴（ＭＲ）を使用してテクスチャーを評価するための選択的なサンプリング方法であって、
第１のスライス選択に選択された第１の傾斜を備える第１のＲＦパルスを送信するステップと；
前記第１のスライスと第２のスライスとの交点によって規定された領域において、スライス選択的リフォーカシングに選択された第２の傾斜が適用された第２のＲＦパルスを送信するステップと；
選択された傾斜パルスを用いて特定のｋ値をエンコードするステップと；
活性化された第３の傾斜を備える第３のＲＦパルスを送信するステップであって、前記第３の傾斜は、スライス選択的リフォーカシングに適合され、前記第１のスライスと前記第２のスライスとの前記交点および第３のスライス選択によって規定された領域を規定して、関心体積（ＶＯＩ）を規定する、ステップと
全ての傾斜をオフにするステップと；
単一のＴＲにおいて、前記特定のｋ値によってエンコードされたＲＦ信号の複数のサンプルを記録するステップと
を含む、方法。
【請求項２】
エンコードする前記ステップが、
エンコーディング傾斜パルスを適用して位相ラップを誘発し、前記特定のｋ値および向きのための空間的エンコードを作成するステップと；
を含む、請求項１に記載の方法。
【請求項３】
選択されたベクトル結合傾斜でｋ値選択パルスを発して、第２のｋ値を決定するステップと；
前記ベクトル結合傾斜をオフにするステップと；
前記ＴＲにおいて、前記第２のｋ値で前記ＲＦ信号の複数のサンプルを記録するステップと
をさらに含む、請求項２に記載の方法。
【請求項４】
選択されたベクトル結合傾斜において、予め決められた複数のパルスのために追加的なｋ値選択パルスを適用するステップであって、各ｋ値選択パルスが次のｋ値を決定する、ステップと；
各パルス後に前記ベクトル結合傾斜をオフにするステップと；
前記ＴＲにおいて、各ｋ値選択パルスによって決定された前記次のｋ値で前記ＲＦ信号の複数のサンプルを記録するステップと
をさらに含む、請求項２に記載の方法。
【請求項５】
リフォーカシングＲＦパルスを送信するステップと；
前記ベクトル結合傾斜で複数のｋ値選択パルスを発するステップであって、各パルスが新しいｋ値を決定する、ステップと；
各パルス後に前記ベクトル結合傾斜をオフにするステップと；
前記ＴＲにおいて、各ｋ値選択パルスによって決定された前記次のｋ値で前記ＲＦ信号の複数のサンプルを記録するステップと
をさらに含む、請求項４に記載の方法。
【請求項６】
第２のリフォーカシングＲＦパルスを送信するステップと；
前記ベクトル結合傾斜で複数のｋ値選択パルスを発するステップであって、各パルスが新しいｋ値を決定する、ステップと；
各パルス後に前記ベクトル結合傾斜をオフにするステップと；
前記ＴＲにおいて、各ｋ値選択パルスによって決定された前記次のｋ値で前記ＲＦ信号の複数のサンプルを受信するステップと
をさらに含む、請求項５に記載の方法。
【請求項７】
前記第１、第２または第３の傾斜のうちの１つでリフォーカシング傾斜を適用するステップと；
前記ベクトル結合傾斜で複数のｋ値選択パルスを発するステップであって、各パルスが新しいｋ値を決定する、ステップと；
各パルス後に前記ベクトル結合傾斜をオフにするステップと；
前記ＴＲにおいて、各ｋ値選択パルスによって決定された前記次のｋ値で前記ＲＦ信号の複数のサンプルを受信するステップと
をさらに含む、請求項４に記載の方法。
【請求項８】
前記ベクトル結合傾斜での前記複数のｋ値選択パルスのそれぞれに続く各新しいｋ値におけるサンプル数が、予測されるＳＮＲ、病状、組織コントラスト、テクスチャーサイズまたはテクスチャー帯域幅に基づいて選択される、請求項４に記載の方法。
【請求項９】
前記関心体積が、交差するスライス選択的リフォーカシング、適切な傾斜と組み合わせてフェーズドアレイ送信を使用する選択的励起、関心領域外の組織からの信号をスクランブルするための断熱パルス励起、外部体積抑制シーケンス、および前記関心組織を物理的に隔離することを含む、内部体積内でスピンを選択的に励起する他の方法の組を使用して選択される、請求項１に記載の方法。
【請求項１０】
第１の傾斜を備える第１のＲＦパルスを送信する前記ステップ、第２の傾斜を備える第２のＲＦパルスを送信する前記ステップ、特定のｋ値をエンコードする前記ステップ、活性化された第３の傾斜を備える第３のＲＦパルスを送信する前記ステップ、全ての傾斜をオフにする前記ステップ、および前記特定のｋ値でＲＦ信号のサンプルを記録する前記ステップが、続いて起こるＴＲにおいて複数回繰り返されて、振幅パワースペクトルを構築し、各ＴＲの前記特定のｋ値は、各ＴＲの前記関心体積内に制約されている場合、介在する動きとは無関係である、請求項１に記載の方法。
【請求項１１】
第１の傾斜を備える第１のＲＦパルスを送信する前記ステップ、第２の傾斜を備える第２のＲＦパルスを送信する前記ステップ、特定のｋ値をエンコードする前記ステップ、活性化された第３の傾斜を備える第３のＲＦパルスを送信する前記ステップ、全ての傾斜をオフにする前記ステップ、および前記特定のｋ値でＲＦ信号のサンプルを記録する前記ステップが、前記関心体積の変動を伴って、続いて起こるＴＲにおいて複数回繰り返され、それにより、テクスチャーデータを取得して、器官または解剖学的構造内のまたはそれにわたるテクスチャー変動を評価する、請求項１に記載の方法。
【請求項１２】
第１の傾斜を備える第１のＲＦパルスを送信する前記ステップ、第２の傾斜を備える第２のＲＦパルスを送信する前記ステップ、特定のｋ値をエンコードする前記ステップ、活性化された第３の傾斜を備える第３のＲＦパルスを送信する前記ステップ、全ての傾斜をオフにする前記ステップ、および前記特定のｋ値でＲＦ信号のサンプルを記録する前記ステップが、前記選択された傾斜パルスのための選択されたベクトル結合傾斜の変化を伴って、続いて起こるＴＲにおいて複数回繰り返されて、特徴のサイズを評価する、請求項１に記載の方法。
【請求項１３】
第１の傾斜を備える第１のＲＦパルスを送信する前記ステップ、第２の傾斜を備える第２のＲＦパルスを送信する前記ステップ、特定のｋ値をエンコードする前記ステップ、活性化された第３の傾斜を備える第３のＲＦパルスを送信する前記ステップ、全ての傾斜をオフにする前記ステップ、および前記特定のｋ値でＲＦ信号のサンプルを記録する前記ステップが、前記ＴＲにおいて複数回繰り返され、第１の傾斜を備える第１のＲＦパルスを送信する前記ステップ、第２の傾斜を備える第２のＲＦパルスを送信する前記ステップ、活性化された第３の傾斜を備える第３のＲＦパルスを送信する前記ステップは、前記ＴＲにおけるいずれの以前のＶＯＩとも重なり合わない、新しい組織における励起用の追加的なＶＯＩを規定するために、代替的な値を有する第１の傾斜を少なくとも有するそれぞれの繰り返し毎に設定された傾斜によって達成される、請求項２に記載の方法。
【請求項１４】
前記エンコーディング傾斜パルスがゼロに設定される、請求項２に記載の方法。
【請求項１５】
前記ＴＲで得られた前記第１、第２および次のｋ値の組み合わせを選択するステップと；
それに続くＴＲのための前記選択された組み合わせに基づいて、前記関心体積の選択を再登録するステップと
をさらに含む、請求項４に記載の方法。
【請求項１６】
前記特定のｋ値および前記第２のｋ値が、前記特定のｋ値および第２のｋ値の少なくとも一方が低くなるように選択され、および前記方法が、第２のＴＲにおいて、
エンコーディング傾斜パルスによって前記特定のｋ値をエンコードするステップと；
全ての傾斜をオフにするステップと；
前記特定のｋ値でエンコードされたＲＦ信号の第２の組の複数のサンプルを記録するステップと；
前記第２のｋ値のための前記選択されたベクトル結合傾斜でｋ値選択パルスを発するステップと；
前記ベクトル結合傾斜をオフにするステップと；
前記第２のｋ値で前記ＲＦ信号の第２の組の複数のサンプルを記録するステップと；
前記低ｋ値に関するデータの相関に基づいて、前記特定のｋ値における前記ＲＦ信号の前記記録された複数のサンプル、および前記特定のｋ値における前記ＲＦ信号の前記第２の組の記録された複数のサンプル、および前記第２のｋ値における前記ＲＦ信号の前記記録された複数のサンプル、および前記第２のｋ値における前記ＲＦ信号の前記第２の組の記録された複数のサンプルを再登録するステップと
をさらに含む、請求項３に記載の方法。
【請求項１７】
狭帯域幅を選択して、高められたｋ値に対して１種類の信号取得を可能にするステップをさらに含む、請求項１に記載の方法。
【請求項１８】
磁気共鳴（ＭＲ）を使用してテクスチャーを評価するための選択的なサンプリング方法であって、
第１のスライス選択に選択された第１の傾斜を備える第１のＲＦパルスを送信するステップと；
前記第１のスライスと第２のスライスとの交点によって規定された領域において、スライス選択的リフォーカシングに選択された第２の傾斜を適用した第２のＲＦパルスを送信するステップと；
エンコーディング傾斜パルスを適用して位相ラップを誘発し、特定のｋ値および向きに対する空間的なエンコードを作成するステップと；
活性化された第３の傾斜を備える第３のＲＦパルスを送信するステップであって、前記第３の傾斜は、スライス選択的リフォーカシングに適合され、前記第１のスライスと前記第２のスライスとの前記交点および第３のスライス選択によって規定された領域を規定して、関心体積（ＶＯＩ）を規定する、ステップと；
全ての傾斜をオフにするステップと；
前記特定のｋ値でエンコードされたＲＦ信号の複数のサンプルを記録するステップと；
選択されたベクトル結合傾斜でｋ値選択パルスを発して、第２のｋ値を決定するステップと；
前記ベクトル結合傾斜をオフにするステップと；
単一のＴＲにおいて、前記第２のｋ値で前記ＲＦ信号の複数のサンプルを記録するステップと
を含む、方法。
【請求項１９】
第４のスライス選択に選択された第４の傾斜を備える第４のＲＦパルスを送信するステップと；
前記第１のスライスと第２のスライスとの交点によって規定された領域において、スライス選択的リフォーカシングに選択された第５の傾斜が適用された第５のＲＦパルスを送信するステップと；
第２のエンコーディング傾斜パルスを適用して位相ラップを誘発し、追加的な特定のｋ値および向きのための空間的エンコードを作成するステップと；
活性化された第６の傾斜を備える第６のＲＦパルスを送信するステップであって、前記第６の傾斜は、スライス選択的リフォーカシングに適合され、前記第４のスライスと前記第５のスライスとの交点および第６のスライス選択によって規定された領域を規定して、前記単一のＴＲにおいて第２の別個のＶＯＩを規定する、ステップと；
全ての傾斜をオフにするステップと；
前記追加的な特定のｋ値によってエンコードされたＲＦ信号の複数のサンプルを記録するステップと；
選択されたベクトル結合傾斜でｋ値選択パルスを発して、第２の追加的なｋ値を決定するステップと；
前記ベクトル結合傾斜をオフにするステップと；
前記単一のＴＲにおいて、前記第２の追加的なｋ値で前記ＲＦ信号の複数のサンプルを記録するステップと
をさらに含む、請求項１８に記載の方法。
【請求項２０】
前記エンコーディング傾斜パルスがゼロに設定される、請求項１８に記載の方法。